(57)【要約】【課題】  他の玩具と組み合わせて遊べる飛び上り玩具を提供する。【解決手段】飛び上り玩具を、上方に開口部１ｃを有した凸部１ａと凸部１ａ下方を囲うように設けられる薄板状の操作部１ｂを具え操作部１ｂの上面に複数のボタンを突出するための複数の孔部１ｄを有した収納台１と、スプリングＳとスプリングＳを収縮した状態で掛止し押圧によりスプリングＳを開放するトリガー３ａとスプリングＳの上端に固定され玩具２を乗せる押し上げ体３ｂとを具え前記収納台の凸部１ａ内に回転可能に収納される飛び出し手段３と、収納台１に格納され収納台１の孔部１ｂから突出するボタン部を具えボタン部の押圧時に飛び出し手段３のトリガー３ａに接してトリガー３ａを押圧する複数のボタン手段Ｂと、回転可能に収納台１に格納される飛び出し手段３のトリガー３ａを複数このボタン手段Ｂと対向する位置で一時掛止する位置合わせ手段４ａ、４ｂと、を具えて構成する。【選択図】図１
2012228494.tif 000002
【特許請求の範囲】
【請求項１】
複数の押しボタンを具え複数のボタンのいずれか一つのボタンを押すと玩具が飛び上る飛び上り玩具であり、この飛び上り玩具を、
上方に開口部を有した凸部と凸部の下方を囲うように設けられる薄板状の操作部を具え操作部の上面に複数のボタンを突出するための複数の孔部を具えた収納台と、
スプリングとスプリングを収縮した状態で掛止し押圧によりスプリングを開放するトリガーとスプリングの上端に固定され玩具を乗せる押し上げ体とを具え前記収納台の凸部内に回転可能に収納される飛び出し手段と、
前記収納台に格納され収納台の孔部から突出するボタン部を具えボタン部の押圧時に前記飛び出し手段のトリガーに接してトリガーを押圧する複数のボタン手段と、
回転可能に前記収納台に格納される前記飛び出し手段のトリガーを複数個の前記ボタン手段と対向する位置で一時掛止する位置合わせ手段と、
を具えて構成したことを特徴とする飛び上り玩具。
【発明の詳細な説明】
【技術分野】
【０００１】  この発明は、飛び上り玩具に関するものであり詳しくは複数のボタンを具え、複数のボタンのいずれか一つのボタンを押すと玩具が飛び出すよう構成した飛び上り玩具に関するものである。
【背景技術】
【０００２】  飛び上り玩具は人気のある玩具として知られている。最も有名な飛び上り玩具は髭を生やした海賊を模した人形が樽の中に入れられたもので、この玩具は樽の側面に設けられた複数の孔に短剣を刺してゆき複数の孔のどれか一つに短剣を刺した際に人形が弾けるように飛び上る構造になっている。
この玩具は多数の人で遊ぶ事が出来、誰の刺す短剣で海賊が飛び出すのかのハラハラ感を楽しむ事が出来る。そしてこの玩具は電池が不要であり、また難しい操作も不要で誰もが簡単に楽しめるようになっている。【０００３】  この玩具はメーカー側の決めたルールでは囚われて樽に入れられた海賊を短剣により助け出すこととしており「海賊を飛び出させた人が勝ち」としたルールであった。しかしテレビのバラエティ番組で「海賊を飛び出させた人が負け」とルールを変更して楽しんだ事から今日では「海賊を飛び出させた人が負け」とするルールが広く定着することになったものである。
下記に示す特許文献はこうした飛び上り玩具をより楽しくするためになされたものであり、いずれの玩具も複数設けられた孔に短剣等を差し入れて人形を飛び上らせる構造になっている。【０００４】
【特許文献１】  特開２００９−２９７４５２号公報
【特許文献２】  特開２００５−１９２９１２号公報
【特許文献３】  実公平７−２５９９７号公報
【特許文献４】  実開平６−０６１２８６号公報
【発明の開示】
【発明が解決しようとする課題】
【０００５】  しかしながら上記従来の飛び上り玩具はメーカーが提供した遊び方しか出来ないという問題があった。
上記従来の飛び上り玩具は、いずれもメーカーが用意した短剣等の差し入れ具を使用しなければ遊べない、すなわち短剣等の差し入れ具は長さや幅が決められており代用品を選ぶ事が出来ずメーカーが用意した短剣等以外の道具（玩具）を用いて人形を飛び上げることは出来ない。【０００６】  例えば「ボール」や「鉄砲の玩具」そして「無線コントロールカー」等を持っていてもこれらの玩具を上記従来の飛び上り玩具と組み合わせて遊ぶ事が出来ないという問題がある。
子供達は玩具の「遊び方」や「ルール」を考え出すことに非常に優れており、異なる玩具を用いて新しい「遊び方」や「ルール」を決めて楽しむものであるが上記従来の飛び上り玩具ではそれが望めない。
【課題を解決するための手段】
【０００７】  この発明に係る飛び上り玩具は上記従来の課題を解決するためになされたもので飛び上り玩具を、上方に開口部を有した凸部と凸部の下方を囲うように設けられる薄板状の操作部を具え操作部の上面に複数のボタンを突出するための複数の孔部を有した収納台と、スプリングとスプリングを収縮した状態で掛止し押圧によりスプリングを開放するトリガーとスプリングの上端に固定され玩具を乗せる押し上げ体とを具え前記収納台の凸部内に回転可能に収納される飛び出し手段と、前記収納台に格納され収納台の孔部から突出するボタン部を具えボタン部の押圧時に前記飛び出し手段のトリガーに接してトリガーを押圧する複数のボタン手段と、回転可能に前記収納台に格納される前記飛び出し手段のトリガーを複数個の前記ボタン手段と対向する位置で一時掛止する位置合わせ手段と、を具えて構成することで上記従来の課題を解決しようとするものである。
【発明の効果】
【０００８】  この発明に係る飛び上り玩具はボタンを押すことによって遊べる構造としたので従来の飛び上り玩具では出来ない種々「遊び方」や「ルール」を決めて玩具を楽しむことが可能となる。【０００９】  例えば「口にくわえたストローでボタンを押さなければいけない」とルールを決めれば目前で飛び上る玩具へのハラハラ感は従来の飛び上り玩具より一層強くなる。
また「鉄砲の玩具」によってボタンを狙い撃ちすればボタンに命中させなければ人形等が飛び上らず、またボタンに命中させてもそのボタンが「ハズレボタン」であれば人形等は飛び上がらない。この遊び方のルールでは人形等を飛び上らせた人が勝ちとなる。なお、狙ったボタンに向けてボールを転がす、あるいは投げ、そのボールによってボタンを押すようにしても楽しめる。
そして無線コントロールカーを走らせボタンをタイヤで押すようにすれば無線コントロールカーの操作の上手下手も勝負を左右することになりこの場合も人形等を飛び上らせた人が勝ちとなる。【００１０】  本願発明に係る飛び上り玩具はメーカーが決めた差し入れ具（短剣等）を用いなくとも遊ぶ事が出来、子供達に今までにない「遊び方」や「ルール」を案出して楽しめる玩具を提供することが可能となる。
【発明を実施するための最良の形態】
【００１１】  図面にもとづいてこの発明の実施の形態を説明する。図１はこの発明の請求項１に係る飛び上り玩具の一実施例を示す外観斜視図である。【００１２】  図１に示す１は収納台であり、この収納台１は図に示すように中央部に設けられ上方に立ち上がる凸部１ａと、この凸部１ａの下方を囲うように設けられる薄板状の操作部１ｂと、を具えている。
そして図に示すように凸部１ａの上方には開口部１ｃが設けられ、操作部１ｂの上面には後述する複数のボタンが突出するための孔部１ｄが設けられている。【００１３】  一方、図２に示す３は飛び出し手段であり、この飛び出し手段３は人形２を上方に向けて弾けるように飛ばすための手段であり、スプリングＳと、トリガー３ａと、押し上げ体３ｂと、を備えている。
スプリングＳは常には開放された状態で飛び出し手段３内に格納されている。そしてスプリングＳの上端には押し上げ体３ｂが固定され押し上げ体３ｂは飛び出し手段３の内部で昇降可能となっていて、この押し上げ体３ｂの上に人形２が乗せられる事になる。
またトリガー３ａはスプリングＳを収縮した状態の下降した押し上げ体３ｂを掛止することが出来るとともにトリガー３ａの下端を矢符に示す方向に押すと上端に設けられた掛止部が押し上げ体３ｂから離れスプリングＳを開放する事が出来るようになっている。
そしてこの飛び出し手段３は収納台１の凸部１ａ内で回転可能に支持されていて図１に示すように外部から見えないようになっている。【００１４】  一方図１に示すＢはボタン手段であり、このボタン手段Ｂは図３（ａ）に示すようにピンＰにより回動可能になっていて先端（図では右端）に収納台１に形成された孔部１ｄから突出するボタン部を具え、不図示の付勢手段によりボタン部は常には突出した状態となっている。
またボタン手段Ｂの後端（図では左端）は飛び出し手段３のトリガー３ａの近傍まで延長しており、ボタン部が押された際には図３（ｂ）に示すようにトリガー３ａの下端部を押すことが出来、これによってトリガー３ａは押し上げ体３ｂを掛止していた上端部が押し上げ体３ｂから外れスプリングＳを開放する事になる。
なお同様の構造からなるボタン手段Ｂが複数設けられ図１に示すように収納台１の孔部１ｄからボタン部のみを突出している。【００１５】  そして図１および図２に示す４ａと４ｂは位置合わせ手段であり、この位置合わせ手段は飛び出し手段３の下面に設けられる突起部４ａと、複数のボタン手段Ｂの後端前方の収納台１床面に複数形成される溝４ｂと、によって構成されている。
この位置合わせ手段は飛び出し手段３を回転させた際、トリガー３ａを各ボタン手段Ｂと対向する位置で一時掛止することが出来る。【００１６】  次にこの発明に係る飛び上り玩具の遊び方を説明する。図１に示すように人形２を飛び出し手段３の上方に乗せスプリングを収縮させるように人形２を下方に移動させることでトリガー３ａによって収縮したスプリングＳを掛止させる。【００１７】  この状態で人形２を左右いずれかの方向に回転させる。この際、人形２と共に飛び出し手段３は回転し、位置合わせ手段はトリガー３ａとボタン手段Ｂが対向する位置になる度にカチカチと回転を一時停止させる。
そして人形２から手を離せば遊びの準備は完了する。なおトリガー３ａは収納台１に格納され外部から見る事が出来ないのでトリガー３ａがどのボタン手段Ｂと対向しているかは全く想像出来ない。【００１８】  本願発明の飛び出し玩具は複数のボタン手段Ｂのいずれか一つを押すと人形２が弾けるように飛び出すものである。そしてボタン手段Ｂは指先で押しても良いが、この飛び上り玩具は従来の飛び上り玩具とは異なり他の玩具によって人形を飛び上げて遊ぶことが出来る。【００１９】  図４はこの発明に係る飛び出し玩具の遊び方の例を示す図で、図において５は鉄砲の玩具から放たれた弾であり、鉄砲の玩具によりボタンを押す遊び方を示すものである。
このように鉄砲の玩具によりボタンを押すようにすれば上手に弾をボタンに当て、更にそのボタンが「アタリボタン」であった場合のみ人形は弾けるように飛び上る。
そして上手に弾をボタンに当ててもそのボタンが「ハズレボタン」であれば人形は飛び上ることは無い。すなわちこの遊びは「人形を飛び出せた人が勝ち」とするルールの遊びである。【００２０】  また図に示す６は床を転がるボールであり、ボール６によってボタンを押す遊び方を示すものである。自分の決めたボタンを狙って上手にボールを転がすがボールの転がし方はボーリングのように手によって転がす、あるいはゴルフのように何かで叩いて転がしても良い。【００２１】  そして図に示す７は無線コントロールカーで、無線コントロールカー７のタイヤによってボタンを押すゲームを示すものである。一度だけバックしても良い等のルールを決めて遊ぶことが出来る。【００２２】  この発明に係る飛び出し玩具は薄板状の操作部に複数のボタンを設け、複数のボタンの一つを押すと人形が飛び出す構造としたため従来の飛び出し玩具では望めなかった種々の「遊び方」や「ルール」を提案して遊ぶ事が出来る新規の飛び出し玩具を提供することが可能である。
【図面の簡単な説明】
【００２３】
【図１】本発明の実施形態を示す飛び出し玩具の外観斜視図である。
【図２】飛び出し手段の構造を示す説明図である
【図３】同飛び出し玩具のボタン手段の作用を示す説明図である。
【図４】同飛び出し玩具と他の玩具を組み合わせた遊び方を示す説明図である。
【符号の説明】
【００２４】  １    収納台
１ａ  凸部
１ｂ  操作部
２    人形
３    飛び出し手段
３ａ  トリガー
３ｂ  押し上げ体
４ａ、４ｂ  位置合わせ手段
Ｂ    ボタン手段
Ｓ    スプリング
【図１】
2012228494.tif 000003
【図２】
2012228494.tif 000004
【図３】
2012228494.tif 000005
【図４】
2012228494.tif 000006